【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】 入力手段、メモリ手段、プロセッサ手段およびディスプレイ手段を備えた、金融サービス商品を開発及び管理するコンピュータシステムであって、 ［ａ］メモリ手段に格納されていて、金融サービス商品の開発に関る複数の主工程のステートメントを含む第一のデータファイルと、 ［ｂ］メモリ手段に格納されていて、各主工程に関連する複数の要素副工程のステートメントを含む第二のデータファイルと、 ［ｃ］メモリ手段に格納されていて、必要な承認エンティティと前記エンティティによって適用される規格を特定することによって、主工程が成功裏に完了したかどうかを決定するための評価基準のステートメントを含む第三のデータファイルと、 ［ｄ］メモリ手段に格納されていて、少なくとも１つの主工程または副工程に関連する複数のツールを含むと共に、それに関連する具象的なアイコンをさらに含む第四のデータファイルであって、前記アイコンは前記ツールが関連している前記主工程または副工程と共に前記ディスプレイ手段に表示されるようになっており、前記複数のツールは、［ｄ１］金融サービス商品の開発及び管理に役立つ用語と慣用句の語彙集と、［ｄ２］アプリケーションソフトウエア商品を使って作成されて、少なくとも１つの副プロセスに潜在的に適用可能な前もって準備された複数の文書のリストであって、前記複数の文書は、それらを作成するために使われる前記アプリケーションソフトウエア商品のファイルフォーマットで前記メモリ手段に電子的に格納されている、当該複数の文書のリストと、［ｄ３］前記工程を成功裏に完了させるために必要な複数の承認のリストと、［ｄ４］金融サービス商品の市場を分析するために役立つ市場評価ツールと、［ｄ５］金融サービス商品に関するリスクを分析するために役立つリスク評価ツールと、からなるグループから選択される、当該第四のデータファイルと、 ［ｅ］前記第一のデータファイルからの主工程のステートメントを前記ディスプレイ手段に表示して、ユーザが前記入力手段を介して前記主工程のうちの１つを選択することを可能にする手段と、 ［ｆ］ユーザによる主工程の選択に応答して、前記第二のデータファイルをアクセスし、前記第二のデータファイルから前記選択された主工程に関連する副工程のステートメントを検索し、前記ディスプレイのスクリーンに前記検索された前記主工程とそれに関連する副工程のステートメントを表示させる手段と、 ［ｇ］ユーザによる主工程または関連する副工程の選択に応答して、前記第四のデータファイルをアクセスし、前記第四のデータファイルから、前記選択された工程または副工程に関連するツールに関係する情報を検索し、前記ディスプレイ手段に前記ツールに対するアイコンを表示させる手段と、 ［ｈ］ユーザによるツールを表すアイコンの選択に応答して、ツールを表示させる手段と、 ［ｉ］ソフトウエア商品に関して作成された文書を有するツールをユーザが選択したことに応答して、コンピュータシステム上でその商品をスタートさせ、その後に、前記文書を開いて、ユーザのために前記ディスプレイ手段に表示させる手段と、を具備するシステム。
【請求項２】 ［ａ］中央処理装置と、 ［ｂ］機能横断的商品開発チームのメンバーによって利用される、前記処理装置に接続された複数のユーザインターフェースであって、その各々が関連するユーザディスプレイとユーザの入力手段を備えている、当該複数のユーザインターフェースと、 ［ｃ］前記処理装置に接続され、前記ユーザインターフェースを介して前記機能横断的商品開発チームのメンバーによってアクセスされて、見直しされる以下のデータファイルを含むメモリであって、当該データファイルは、［ｃ１］前記金融サービス商品の開発及び管理に関する複数の主工程のステートメントを含む第一のデータファイルと、［ｃ２］各主工程に関連する複数の要素副工程のステートメントを含む第二のデータファイルと、［ｃ３］主工程が完了したかどうかを決定するための評価基準のステートメントを含む第三のデータファイルと、［ｃ４］少なくとも１つの主工程または副工程に関連する複数のツールを含むと共に、それに関連する具象的なアイコンをさらに含む第四のデータファイルであって、前記アイコンは前記ツールが関連している前記主工程または副工程と共に前記ディスプレイ手段に表示されるようになっている、当該第四のデータファイルと、［ｃ５］少なくとも１つの主工程または副工程に関連する複数の文書を含む第五のデータファイルとを含んでいる、当該メモリと、 ［ｄ］前記ユーザディスプレイに前記第一のデータファイルからの前記主工程のステートメントを表示し、前記入力手段を介して前記主工程のうちの１つをユーザに選択させる手段と、 ［ｅ］主工程をユーザが選択したことに応答して、前記第二のデータファイルをアクセスし、前記第二のデータファイルから前記選択された主工程に関連する前記副工程のステートメントを検索し、ユーザディスプレイに前記検索された前記主工程および関連する副工程のステートメントを表示させる手段と、 ［ｆ］主工程または関連する副工程を前記ユーザが選択したことに応答して、前記第四のデータファイルをアクセスし、前記第四のデータファイルから、前記選択された工程または副工程に関連するツールに関する情報を検索し、ユーザディスプレイにそれらのツールに対するアイコンを表示させる手段と、 ［ｇ］前記ツールを代表するアイコンをユーザが選択したことに応答してツールを表示させる手段と、 ［ｈ］ツールを前記ユーザが選択したことに応答して、前記選択された工程または副工程に関連する文書の作成を支援し、前記第五のデータファイルに前記作成された文書を格納する手段と、を具備する金融サービス商品開発及び管理システム。
【請求項３】 ［ａ］以下の金融サービス事業機能、即ち、商品設計、リスク管理、財務管理、マーケティング、および法務管理のうちの少なくとも複数のものを代表するチームメンバーを含む機能横断的な商品開発チームによって商品を開発及び管理する支援を行うようにプログラムされた中央処理装置と、 ［ｂ］前記中央処理装置に接続された複数のユーザインターフェースであって、その各々は、前記横断機能的商品開発チームによって利用される入力手段とディスプレイ手段を備えている、当該ユーザインターフェースと、 ［ｃ］前記中央処理装置に接続され、前記商品の開発及び管理に関連する前もって選択された情報を格納するデータファイルを含んでいるメモリであって、前記ユーザの入力手段を介して、前記商品開発チームのメンバーによって前記データファイルを検索することができ、前記データファイルは、少なくとも、［ｃ１］前記商品の開発及び管理の第一段階に関連する第一のデータファイルと、［ｃ２］前記商品の開発及び管理の次に第二段階に関連する第二のデータファイルとを含んでいる、当該メモリと、を具備しており、 ［ｄ］前記中央処理装置は、前記第一または第二のデータファイルのいづれか一方を第一のメンバーが検索したことに応答して、［ｄ１］前記検索されたデータファイルに関連する商品の開発及び管理を行う特定の段階に関する情報と、［ｄ２］前記検索されたデータファイルに関連する開発及び管理の特定の段階に関して役立つ第三のデータファイルに格納された文書リストであって、前記第一のメンバーは前記リストされた文書のうちの１つを前記メンバーのユーザの入力手段を介して選択することによって、それを表示させるために検索することができる、当該文書リストと、［ｄ３］前記検索されたデータファイルに関連する開発及び管理の特定の段階に関して役立つ文書を前記第一のメンバーが作成するのを支援するツールリストであって、前記第一のメンバーによって作成された前記文書は前記チームのその他のメンバーによって検索され表示される前記第三のデータファイルに格納される、当該ツールリストと、を前記メンバーのユーザディスプレイ手段に表示させるようにプログラムされていること、を特徴とする金融サービス商品開発及び管理総合システム。
【請求項４】 ［ａ］少なくとも 複数の以下の金融サービス事業機能、即ち、商品設計、リスク管理、財務管理、マーケティングおよび法務管理を代表するチームメンバーを含む機能横断的商品開発チームを編成する工程と、 ［ｂ］前記機能横断的商品開発チームによる商品の開発及び管理を支援するプロセスを中央処理装置にプログラムする工程と、 ［ｃ］前記中央処理装置に複数のユーザインターフェースを接続する工程であって、各ユーザインターフェースは、前記機能横断的商品開発チームが利用できるように適合した入力手段とディスプレイ手段を備える、当該工程と、 ［ｄ］前記商品の開発及び管理に関する前もって選択された情報を含む前記中央処理装置のデータファイルをメモリに格納する工程であって、前記商品開発チームのメンバーによって前記ユーザの入力手段を介して、前記データファイルを検索でき、前記データファイルは、少なくとも、［ｄ１］前記商品の開発及び管理の第一段階に関連する第一のデータファイルと、［ｄ２］前記商品の開発及び管理の次の第二段階に関連する第二のデータファイルとを含んでいる、当該工程と、 ［ｅ］前記第一または第二のデータファイルのいずれか一方を第一のメンバーが検索したことに応答して、このメンバーのユーザディスプレイ手段に、［ｅｌ］前記検索されたデータファイルに関連する前記商品の開発及び管理の特定の段階に関する情報と、［ｅ２］前記検索されたデータファイルに関連する開発及び管理の特定の段階に関して役立つ第三のデータファイルに格納される文書のリストであって、前記第１のメンバーも前記メンバーのユーザの入力手段を介して前記リストされた文書の１つを選択することによってこの文書を表示させるために検索することができる、当該文書のリストと、［ｅ３］前記検索されたデータファイルに関連する開発及び管理の特定の段階に関して役立つ文書を前記第一のメンバーが作成することを支援するツールのリストであって、前記第一のメンバーによって作成された文書は、前記チームの別のメンバーによって検索され表示される前記第三のデータファイルに格納される、当該ツールのリストと、を表示させるように前記中央処理装置をプログラミングする工程と、を有している金融サービス商品の開発及び管理方法。
【請求項５】 ［ａ］以下の金融サービス事業、即ち、商品設計、リスク管理、財務管理、マーケティングおよび法務管理のうちの少なくとも複数のものを代表するチームメンバーを含む横断機能的商品開発チームを編成する工程と、 ［ｂ］前記チームの各メンバーに中央処理装置に接続されたユーザインターフェースを提供する工程と、 ［ｃ］商品の開発及び管理を支援するプロセスを前記中央処理装置にプログラムする工程であって、前記プロセスは、［ｃ１］商品の開発及び管理に関連する複数の連続的な所定の主工程と、［ｃ２］次の工程に進むために、主工程が成功裡に完了したかどうかを決定するための評価基準のステートメントと、［ｃ３］各主工程に組み入れられたリスク管理と、［ｃ４］各主工程に組み入れられた品質管理と、［ｃ５］文書データや定量化データに基づき商品を開発できるように、各主工程に組み入れられたデータ主導分析とを含む、当該工程と、を有している金融サービス商品の開発及び管理方法。
【請求項６】 入力手段、メモリ手段、プロセッサ手段およびディスプレイ手段を備えていて、金融サービス商品を開発するコンピュータシステムであって、 ［ａ］市場を評価し、好機を見分ける工程を含む前記金融サービス商品の開発に関する複数の主工程のステートメントを含んでいる、前記メモリ手段に格納された第一のデータファイルと、 ［ｂ］ ［ｂ１］二次的なデータを収集する副工程と、［ｂ２］主要な調査を行う副工程と、［ｂ３］市場戦略を作成する副工程と、［ｂ４ｌ好機を正当化する副工程とを有する各主工程に関連する複数の要素副工程のステートメントを含んでいる、前記メモリ手段に格納された第二のデータファイルと、 ［ｃ］必要な承認エンティティと前記エンティティによって適用される標準を見つけることによって主工程が成功裡に完了したかどうかを決定するための評価基準のステートメントを含んでいる、前記メモリ手段に格納された第三のデータファイルと、 ［ｄ］少なくとも１つの主工程または副工程に関連する複数のツールを含んでいると共に、それらに関する具象的アイコンをさらに含んでいる、前記メモリ手段に格納された第四のデータファイルであって、前記アイコンは前記ツールに関する主工程または副工程と共に前記ディスプレイ手段に表示されるようになっており、前記ツールは、［ｄ１］金融サービス商品の開発及び管理に役立つ用語と慣用句の語彙集と、［ｄ２］少なくとも１つのサブプロセスに対して潜在的に適用可能で、また、アプリケーションソフトウエア商品を使って作成された、前もって準備された文書のリストであって、前記文書は、それらを作成するために使われた前記アプリケーションソフトウエア商品のファイルフォーマットで電子的に前記メモリ手段に格納される、当該文書のリストと、［ｄ３］工程の成功裡の完了に必要な承認のリストと、よりなるグループから選ばれる、当該第四のデータファイルと、 ［ｅ］前記ディスプレイ手段に、前記第一のデータファイルからの前記主工程のステートメントを表示させ、前記ユーザが前記入力手段を介して前記主工程のうちの１つを選択することを可能にする手段と、 ［ｆ］ユーザが主工程を選択したことに応答して、前記第二のデータファイルをアクセスし、前記第二のデータファイルから前記前記選択された主工程に関連する副工程のステートメントを検索し、前記主工程とそれに関連する副工程の検索されたステートメントをディスプレイスクリーンに表示させる手段と、 ［ｇ］前記ユーザが主工程または関連する副工程を選択したことに応答して、前記第四のデータファイルをアクセスし、前記第四のデータファイルから、前記選択された工程または副工程に関連するツールに関する情報を検索し、前記ディスプレイ手段にそれらのツールに対するアイコンを表示させる手段と、 ［ｈ］前記ツールを代表するアイコンをユーザが選択することに応答して、ツールを表示させる手段と、 ［ｉ］ソフトウエア商品で作成された文書を含むツールを前記ユーザが選択することに応答して、該商品を前記コンピュータシステム上でスタートさせて、前記文書を開いた後、前記ユーザのために前記ディスプレイ手段に表示させる手段と、を具備しているシステム。
【請求項７】 ［ａ］中央処理装置と、 ［ｂ］機能横断的市場評価チームのメンバーによって利用される前記処理装置に接続された複数のユーザインターフェースであって、その各々は関連するユーザディスプレイとユーザの入力手段を備える、当該ユーザインターフェースと、 ［ｃ］前記処理装置に接続され、前記ユーザインターフェースを介して、前記機能横断的市場評価チームのメンバーによって評価され、見直しされ、格納された以下のデータファイル、即ち、［ｃ１］市場を評価し、好機を正当化する工程を含む、前記金融サービス商品の開発及び管理に必要とされる複数の主工程のステートメントを含む第一のデータファイルと、［ｃ２］二次的なデータを収集する副工程と、主な調査を行う副工程と、市場戦略を作成する副工程と、好機を正当化する副工程とを含む各主工程に関連する複数の要素副工程のステートメントを含む第二のデータファイルと、［ｃ３］主工程が完了したかどうかを決定するための評価基準のステートメントを含む第三のデータファイルと、［ｃ４］少なくとも１つの主工程または副工程に関連する複数のツールを含むと共に、それらに関連する具象的アイコンをさらに含む第四のデータファイルであって、前記アイコンは前記ツールが関連する主工程または副工程と共に前記ユーザディスプレイに表示されるようになっている、当該第四のデータファイルと、［ｃ５］少なくとも１つの主工程または副工程に関連する複数の文書を含む第五のデータファイルと、を含んでいるメモリと、 ［ｄ］ユーザディスプレイに第一のデータファイルからの前記主工程のステートメントを表示させ、前記入力手段を介して前記主工程のうちの１つをユーザが選択できるようにする手段と、 ［ｅ］主工程をユーザが選択したことに応答して、第二のデータファイルをアクセスし、第二のデータファイルから前記選択された主工程に関連する前記副工程のステートメントを検索し、前記検索された前記主工程とそれに関連する副工程のステートメントをユーザディスプレイに表示させる手段と、 ［ｆ］主工程またはそれに関連する副工程を前記ユーザが選択したことに応答して、第四のデータファイルをアクセスし、第四のデータファイルから前記選択された工程または副工程に関連するツールに関する情報を検索し、ユーザディスプレイにそれらのツールのためのアイコンを表示させる手段と、 ［ｇ］前記ツールを代表するアイコンをユーザが選択したことに応答して、ツールを表示させる手段と、 ［ｈ］ツールを前記ユーザが選択したことに応答して、前記選択された工程または副工程に関連する文書の作成を支援し、前記作成された文書を第五のデータファイルに格納する手段と、を具備する金融サービス商品の開発システム。
【請求項８】 ［ａ］事業リーダ、プロジェクトリーダ、市場評価プロセスオーナー、市場評価アナリスト、開発解決リーダ、主な出資者、市場調査サプライヤ、および事物エキスパートを含む機能横断的市場評価チームによって商品の開発を支援するようにプログラムされた中央処理装置と、 ［ｂ］前記中央処理装置に接続された複数のユーザインターフェースであって、その各々が前記機能横断的市場評価チームの利用に適合した入力手段とディスプレイ手段を備える、当該ユーザインターフェースと、 ［ｃ］前記中央処理装置に接続され、商品の開発に関連する前もって選択された情報を格納するデータファイルを含むメモリであって、前記市場評価チームのメンバーによって前記ユーザの入力手段を介して前記データファイルを検索することができ、前記データファイルは、少なくとも、［ｃ１］前記商品の開発の第一の段階に関連する第一のデータファイルであって、前記第一段階は、二次的データを収集し、主な調査を行い、戦略を練り、好機を正当化することを含めて、市場を評価して好機を見つける工程を含む、当該第一のデータファイルと、［ｃ２］前記商品の開発の次の第二段階に関連する第二のデータファイルと、を含んでいる、当該メモリと、を具備し、 ［ｄ］前記中央処理装置は、第一のメンバーが第一または第二のデータファイルのいずれか一方を検索することに応答して、前記メンバーのユーザディスプレイ手段に、［ｄ１］前記検索されたデータファイルに関連する商品の開発の特定の段階に関する情報と、［ｄ２］前記検索されたデータファイルに関連する開発の特定の段階に関して役立つ第三のデータファイルに格納される文書のリストであって、前記リストされた文書のうちの１つを表示させるために、前記メンバーのユーザの入力手段を介して前記文書を選択することによって前記第一のメンバーは検索することもできる、当該文書のリストと、［ｄ３］前記第一のメンバーが前記検索されたデータファイルに関連する開発の特定の段階に関して役立つ文書を作成することを支援するツールのリストであって、前記第一のメンバーによって作成される文書は、前記チームの別のメンバーによって検索され表示される第三のデータファイルに格納される、当該ツールのリストと、を表示させるようにプログラムされていること、を特徴とする金融サービス商品開発総合システム。
【請求項９】 ［ａ］事業リーダ、プロジェクトリーダ、市場評価プロセスオーナー、市場評価アナリスト、開発解決リーダ、主な出資者、市場調査サプライヤ、および事物エキスパートのうちの少なくとも複数を代表するチームメンバーを含む機能横断的市場評価チームを編成する工程と、 ［ｂ］前記機能横断的市場評価チームによる商品開発を支援するプロセスを中央処理装置にプログラムする工程と、 ［ｃ］前記中央処理装置に複数のユーザインターフェースを接続する工程であって、各ユーザインターフェースは前記機能横断的市場評価チームの利用に適合する入力手段とディスプレイ手段を備える、当該工程と、 ［ｄ］前記中央処理装置に接続されたメモリに、商品開発に関連する所定の情報を含むデータファイルを格納する工程であって、前記市場評価チームのメンバーは前記ユーザの入力手段を介して前記データファイルを検索することができ、前記データファイルは、少なくとも、 ［ｄ１］商品の開発及び管理の第一段階に関連する第一のデータファイルであって、前記第一段階は、市場を評価し、好機を見分ける工程を備える、当該第一のデータファイルと、 ［ｄ２］商品開発の次の第二段階に関連する第二のデータファイルとを備える、当該工程と、 ［ｅ］前記第一または第二のデータファイルのいずれか一方を第一のメンバーが検索することに応答して、第一のメンバーのユーザディスプレイ手段に、 ［ｅ１］前記検索されたデータファイルに関連する商品開発の特定の段階に関する情報と、 ［ｅ２］前記検索されたデータファイルに関連する開発の特定の段階に関して役立つ第三のデータファイルに格納される文書のリストであって、前記第一のメンバーは前記リストされた文書の１つを表示させるために、前記メンバーのユーザ入力手段を介して前記文書を選択することによって検索することもできる、当該文書のリストと、 ［ｅ３］前記検索されたデータファイルに関連する開発の特定の段階に関して役立つ文書を第一のメンバーが作成するのを支援するツールのリストであって、前記第一のメンバーによって作成された文書は、前記チームの別のメンバーによって検索され表示される第三のデータファイルに格納される、当該ツールのリストとを表示させるように前記中央処理装置をプログラムする工程とを備える金融サービス商品開発方法。
【請求項１０】 ［ａ］事業リーダ、プロジェクトリーダ、市場評価プロセスオーナー、市場評価アナリスト、開発解決リーダ、主な出資者、市場調査サプライヤ、事物エキスパートのうちの少なくとも複数のものを代表するチームメンバーを含む機能横断的市場評価チームを編成し、 ［ｂ］中央処理装置に接続されたユーザインターフェースを前記チームの各メンバーに提供し、 ［ｃ］前記中央処理装置に商品開発を支援するプロセスをプログラミングし、前記プロセスは、 ［ｃ１］二次的データを収集し、主な調査を行い、戦略を練り、好機を正当化することを含み、市場を評価し、好機を見分ける工程を備える商品開発に関連する所定の一連の複数の主工程と、 ［ｃ２］次の工程に進むために、主工程が成功裡に完了したかどうかを決定するための評価基準のステートメントと、 ［ｃ３］文書データや定量化可能なデータにに基づき商品を開発できるように、各主工程に組み入れられたデータ主導分析とを備える、金融サービス商品開発方法。